(57)【要約】 【課題】  本考案は、例えば鼓膜に関する病理患部等、人体患部を立体的に表示するための新規の立体表示シートの提供を図ったものである。【解決手段】  鼓膜を覗き込んだ状態の「様々な中耳炎の鼓膜」である患部図形を立体的凹凸形状を有する図形で表示された面5ａを頂面とする倒伏コップ状を呈する所要数の筒状立体図形部分５を、所要の対応型面を用いた熱圧着印刷するように構成した立体表示シート。【選択図】  図１
0003135545.tif 000002
【実用新案登録請求の範囲】
【請求項１】
おもて表紙１と、背表紙２と、うら表紙３を具えたファイル体Ａであって、おもて表紙１の内面には所要の平坦印刷表示面1ａを形成すると共に、所要の患部図形を立体的凹凸形状の図形面5ａを頂面とする所要数の立体図形部分５を、当該図形部分と対応する型面を用いた熱圧着印刷処理に基づき形成したポリオレフィンシート製の立体表示印刷シート４を、前記うら表紙３の内面に重合貼着し、更に、当該立体表示印刷シート４には、筒状立体図形部分５より丈高なスペーサー6を設けると共に、当該筒状立体図形部分５内にはこれの押し潰れを阻止するためのクッション材７を内装する様に構成した立体表示シート。
【請求項２】
おもて表紙１と、背表紙２と、うら表紙３を具えたファイル体Ａであって、おもて表紙１の内面には所要の平坦印刷表示面1ａを形成すると共に、所要の患部図形を立体的凹凸形状の図形面5ａを頂面とする所要数の立体図形部分５を、当該図形部分と対応する型面を用いた熱圧着印刷処理に基づき形成したポリオレフィンシート製の立体表示印刷シート４を、前記うら表紙３の内面に重合貼着するように構成した立体表示シート。
【請求項３】
所要の患部図形を立体的凹凸の形状で図形表示された面5ａを頂面とする立体図形部分５を、当該図形部分と対応する型面を用いた熱圧着印刷処理に基づき形成したポリオレフィンシート製である立体表示シート。
【請求項４】
鼓膜を覗き込んだ状態の「様々な中耳炎の鼓膜」である患部図形を立体的凹凸形状で表した図形面5ａを頂面とする円筒形を呈する倒伏コップ状を呈する所要数の筒状立体図形部分５を、所要の対応型面を用いた熱圧着印刷するように構成した立体表示シート。
【考案の詳細な説明】
【技術分野】
【０００１】
本考案は、例えば鼓膜に関する病理患部等、人体患部を立体的に表示するための立体表示シートに関する。
【背景技術】
【０００２】
従来、立体表示を行うための手段としては、左眼と右眼の軸線角度の相違を利用して立体映像を生じさせるような手段に基づくもの（例えば、特許文献１参照。）、見開き時に引き起こされて立体部分を生じさせる所謂飛び出す絵本的な手段に基づくもの（例え特許文献２参照。）、表面に紙粘土等を塗り付けた盛り上がりを設けるようにして立体面を形成する手段に基づくもの（例えば、特許文献３参照。）、或いは、シート面における強調したい部分に対し別体の盛り上がり部分を貼着することによって立体部分を形成する手段に基づくもの（例えば、特許文献４参照。）などが存在する。
【０００３】
【特許文献１】特開平１０−１７７１５６号
【特許文献２】特開平０８−３２４１６１号
【特許文献３】特開平０９−２７２２８５号
【特許文献４】特開平１１−３０９９６３号
【考案の開示】
【考案が解決しようとする課題】
【０００４】
上記した立体映像を生じさせる手段に依存したものは、コスト高と製造の複雑性というような問題が生じるものであり、上記した見開きに基づき飛び出させるようなものは、単純なものであれば良いが細密性が要求されるものには不適当であり、上記した粘土等の盛り上げ依存したものは、製造上の煩雑性が生じるものであり、更に、上記した別体のものをシート面に取付けるものにあっては製造上の煩雑性及び製造コストの高騰性という問題が伴うばかりでなく、当該部分が単に突出しているだけであり、突出面は平坦状の表示に留まるものである以上、単に部分的に目立つようにしたに過ぎず、完全なる立体的表示とは称し得ないものである。
【０００５】
本考案は印刷による立体表示という新しい手段に基づき、上述したような従来の問題点を全く排除した新規の「立体表示シート」の提供を図ったものである。
【課題を解決するための手段】
【０００６】
本考案は、おもて表紙１と、背表紙２と、うら表紙３を具えたファイル体Ａであって、おもて表紙１の内面には所要の平坦印刷表示面1ａを形成すると共に、所要の患部図形を立体的凹凸形状の図形面5ａを頂面とする立体図形部分５を、当該図形部分と対応する型面を用いた熱圧着印刷処理に基づき形成したポリオレフィンシート製の立体表示印刷シート４を、前記うら表紙３の内面に重合貼着し、更に、当該立体表示印刷シート４には、筒状立体図形部分５より丈高なスペーサー6を設けると共に、当該筒状立体図形部分５内にはこれの押し潰れを阻止するためのクッション材７を内装する様に構成した立体表示シートにかかるものである。
【０００７】
そして本考案は、請求項２に記載のように、おもて表紙１と、背表紙２と、うら表紙３を具えたファイル体Ａであって、おもて表紙１の内面には所要の平坦印刷表示面1ａを形成すると共に、所要の患部図形を立体的凹凸の形状で表した図形面5ａを頂面とする筒状立体図形部分５を、当該図形部分と対応する型面を用いた熱圧着印刷処理に基づき形成したポリオレフィンシート製の立体表示印刷シート４を前記うら表紙３の内面に重合貼着するように構成した立体表示シートを実施の態様とするものである。
【０００８】
また、本考案は請求項３に記載のように、所要の患部図形を立体的凹凸の形状で図形表示された面5ａを頂面とする立体図形部分５を、当該図形部分と対応する型面を用いた熱圧着印刷処理に基づき形成したポリオレフィンシート製である立体表示シートを実施の態様とするものである。
【０００９】
更に、本考案は請求項４に記載のように、鼓膜を覗き込んだ状態の「様々な中耳炎の鼓膜」である患部図形を立体的凹凸形状で表した図形面5ａを頂面とする円筒状の倒伏コップ状を呈する所要数の筒状立体図形部分５を、所要の対応型面を用いた熱圧着印刷するように構成した立体表示シートを実施の態様とするものである。
【考案の効果】
【００１０】
本考案は請求項１に記載のような構成、すなわち、おもて表紙１と、背表紙２と、うら表紙３を具えたファイル体Ａであって、おもて表紙１の内面には所要の平坦印刷表示面1ａを形成すると共に、所要の患部図形を立体的凹凸形状の図形面5ａを頂面とする立体図形部分５を、当該図形部分と対応する型面を用いた熱圧着印刷処理に基づき形成したポリオレフィンシート製の立体表示印刷シート４を、前記うら表紙３の内面に重合貼着するように構成したから、例えば人体患部に対する症状表示が、実物と同様な極めて写実的なる表現が可能とされ、医療に携わる人々に対する優れた教材等としての役割を果すこととなる。  そして、本考案は立体表示印刷シート４をポリオレフィンシートで形成するように構成したから、熱成形処理の容易性と、触覚的柔軟性から、あたかも本物の患部のような感触および精密なる外観的創造を得ることができる。
【００１１】
そして、当該立体表示印刷シート４には、筒状立体図形部分５より丈高なスペーサー6を設けるように構成したから、ファイルを閉じた際に筒状立体図形部分５の図形面5ａに対する保護作用が奏されることとなる。  また、当該筒状立体図形部分５内にはクッション材７を内装する様に構成したから、筒状立体図形部分５の不測の押し潰れという問題がよく防止されることとなる。
【００１２】
また、本考案は請求項2に記載のような構成、すなわち、おもて表紙１と、背表紙２と、うら表紙３を具えたファイル体Ａであって、おもて表紙１の内面には所要の平坦印刷表示面1ａを形成すると共に、所要の患部図形を立体的凹凸の形状で表した図形面5ａを頂面とする立体図形部分５を、当該図形部分と対応する型面を用いた熱圧着印刷処理に基づき形成したポリオレフィンシート製の立体表示印刷シート４を前記うら表紙３の内面に重合貼着するように構成したから、請求項1の場合に記載したように、医療に携わる人々に対する優れた教材等としての役割を果すとともに、ポリオレフィンシートで形成したことによる熱成形処理の容易性と、触覚的柔軟性から、あたかも本物の患部のような感触および精密なる外観的創造を得ることができる。
【００１３】
更に、本考案は請求項３に記載のような構成、すなわち、所要の患部図形を立体的凹凸の形状で図形表示された面5ａを頂面とする立体図形部分５を、当該図形部分と対応する型面を用いた熱圧着印刷処理に基づき形成したポリオレフィンシート製である立体表示シートとすることにより、図示のようなファイル状の実施以外、例えば壁掛け的利用を図ることができる。
【００１４】
更に、本考案は請求項４に記載のように、鼓膜を覗き込んだ状態の「様々な中耳炎の鼓膜」である患部図形を立体的凹凸形状で表した図形面5ａを頂面とする円筒形の倒伏コップ状を呈する所要数の筒状立体図形部分５を、所要の対応型面を用いた熱圧着印刷するように構成することにより、当該筒状立体図形部分５が円筒形を呈する倒伏コップ状であるために、人体の鼓膜を覗き込んだような視覚的表現が果たされることとなり、従って、患部表示用として極めて写実的なる表現が達成される。
【考案を実施するための最良の形態】
【００１５】
図に於いて、Ａはファイル体であって、おもて表紙１、背表紙２、うら表紙３とで構成されている。  そして、図１及び図２においては当該ファイル体Ａとして、主として医療機関で使用する「中耳炎診断用ファイル」として利用するものを、例示的実施例として示してある。
【００１６】
図１及び図２において、1ａは平坦印刷表示面であって、おもで表紙１の内側面に対して印刷に基づき表してある。  同図に示す平坦印刷表示面として「耳の解剖図」である「成人の耳の断面を描いた図形」と「幼児の耳の断面を描いた図形」が表されたものを例示してあるが、これに限定されるものではない。
【００１７】
４はうら表紙３の内面側に重合貼着して成る立体表示印刷シートであって、「様々な中耳炎の鼓膜」として鼓膜を覗き込んだ状態の立体図形５を表したものである。  図示の実施例に於いては「正常な鼓膜」と「滲出性の中耳炎」と「急性中耳炎中程度」と「急性中耳炎硬度増悪」の各状態を、夫々耳の中を覗き込んだ状態を表した図形帳面に表した円筒状立体図形として表してある。
【００１８】
そして、当該立体表示用印刷シート４の形成であるが、これは、ポリオレフィンのシート材に対して所定の印刷処理を施し、然る後、成形用型面を用いて所定形状の熱圧着成形処理を施すことによって形成される。  なお、上記印刷処理であるが、熱圧着処理に基づく立体成形により、シートは圧着による伸びを生じることとなる。  従って、当該印刷図形の形成は、当該伸びによるゆがみが生じた際に適正な図形が形成されるような形態、すなわち、熱成形に基づく伸びが計算された状態の図形を印刷しておくものである。
【００１９】
すなわち本考案に於いては、このような印刷処理および熱成形処理を施すことにより、図示のように、当該立体表示用印刷シート４の表面には、鼓膜部分の形状が立体的凹凸を具えた形状の図形面5ａを頂面とする倒伏コップ状を呈する筒状立体図形５部分を膨出状態で熱成形されると共に当該図形面5ａが印刷されるように構成してある。  そして、当該倒伏コップ状とは図示のように円筒形を想定してあるが、これ以外、角筒状の倒伏コップ状のものであってもよい。  すなわち、当該立体図形５はその頂面に所要の図形面5ａが形成されているものであれば、その外観的制約性は存在しない。  また、当該図形面5aは表示の正確性を具備させるために、カラー写真表示若しくはスーパーイラストレーション表示（コンピュータによる精密イラストレーション）とすることが好ましい。
【００２０】
なお、上記したポリオレフィンであるが、これは高分子の炭化水素から成るものであり、このグループは低密度／線状密度／高密度ポリエチレン、ポリプロピレン共重合体、ポリプロピレン、ポリメチルペンテンが含まれており、壊れ難く、無毒性、非汚染性の性質を持っており柔軟性に富んでいることから、本考案においてはこのような優れた特性に着眼してこれのシート体を印刷用素材として採用した。  そして、使用したシート体の厚さは0.5〜１ミリメートル程度である。  すなわち、これがあまり薄過ぎた場合は腰が弱く立体成形部分の崩壊が生じ易く、また、これが厚すぎた場合は腰が強すぎて精密的凹凸部分の形成が困難とされるばかりでなく、触感的にも硬すぎて、例えば図示のような「様々な中耳炎の鼓膜」のような題材の場合の現実的柔軟性の表現が困難とされてしまう、と言うような問題が生じる。  従って、上記のような範疇の厚さのポリオレフィンシートを用いることが好ましい。
【００２１】
そして、本考案に於いて、ポリオレフィンとしてオカモト株式会社製の軟質ポリオレフィン、商品名「ピュアソフティ」を用いたところ、成形性及び印刷性において優れたものとされ、外観的かつ触覚的にも患部立体模型として卓越したものとされた。
【００２２】
図に於いて、６は立体表示用印刷シート４の四隅に固設したスペーサーであって、おもて表紙１とうら表紙３とを合わせた際に、おもて表紙1の内面に接して筒状立体図形部分５が潰れてしまうことを防止する役割を担っている。  すなわち、当該スペーサー６は筒状立体図形部分５よりやや丈高なものとするように構成してある。  
【００２３】
図４に於いて、７はクッション材であって、上記した筒状立体図形部分５の空洞内に位置させるように、うら表紙３の内面所要箇所に取付けられている。  これは、筒状立体図形部分５に強い力が及んだ場合の不測の潰れを阻止するためのものである。  そして、当該クッション材７としては、発砲スチロールのような軽量にして弾力性に富む材料を用いることが好ましい。  なお、図示の実施例にあっては、筒状立体図形部分５内に周囲に隙間を設けて当該クッション材７を位置させてあるが、これを隙間無く形成するように構成しても良い。
【００２４】
ところで、本考案はポリオレフィンシートで形成した立体表示用印刷シート４を考案の骨子とするものであり、図示の実施例に示すようにファイル状に形成することは実施の一つの形態であり、これ以外、単なる一枚のシート状、或いは複数ページに亘るような冊子的利用を図るような実施形態をとることも可能である。
【００２５】
更に、図面に示す実施例は「中耳炎診断用ファイル」に適した立体図形を配したものであるが、これ以外、例えば「鼻口内の診断用ファイル」、「血管を輪切りにした等の血管診断用ファイル」、また、「気管内の診断用ファイル」などに用いる立体図形を配しての実施も可能である。  そして、このようなファイルとしての実施に際しては、おもて表紙１の内側面に対して印刷に基づきあらわす平坦印刷表示面1ａはこれに即応した印刷表示とすることは勿論である。
【図面の簡単な説明】
【００２６】
、
【００２７】
【図１】ファイル状を呈する本考案の１実施例を表した斜視図である。
【図２】上記ファイル状を呈する実施例のものを平板状に開いた状態を表した平面図である。
【図３】ファイル状を呈する上記実施例を閉じた状態を表した側面図である。
【図４】同上縦断面図である。
【符号の説明】
【００２８】
Ａ  ファイル体
１  おもて表紙
２  背表紙
３  うら表紙
1ａ 平坦印刷表示面
４  立体表示印刷シート
５  立体図形
5a  図形面
６  スペーサー
７  クッション材
【図１】
0003135545.tif 000003
【図２】
0003135545.tif 000004
【図３】
0003135545.tif 000005
【図４】
0003135545.tif 000006